(57)【要約】【課題】狭い空間でも合体作業が実施し易く、また、スライドコア構造の金型が不要で、しかも、コネクタハウジング相互の構造を同一にして製造コストを低減することができる合体コネクタを提供すること。【解決手段】上下に重ね合わせて合体させる各コネクタハウジング２００，３００を、上に重なるコネクタハウジングの両側をスライド自在に支持する一対のガイド側壁２２５，３２５に、上に重なるコネクタハウジングの両側の係止突起に係合してハウジング相互の連結を果たす弾性係合片３３１を設けると共に、ハウジングの後端に、合体させるコネクタハウジングの接続端子１３１を端子係止ランス２１０，３１０との係合位置に押し込む端子押し込み片２３４，３３４を突設した同一構造にする。【選択図】図７
2011076889.tif 000002
【特許請求の範囲】
【請求項１】
上下に重ね合わせて合体させる各コネクタハウジングが、幅方向に一列に配置された複数個の端子収容室と、前記端子収容室に挿入完了した接続端子を前記端子収容室の隔壁に前記端子収容室から退避する方向に弾性変位可能に装備された端子係止部によって係止する端子係止ランスと、前記端子収容室の天井部である上部外壁の両側から上方に延出して設けられて前記上部外壁の上に重なる他のコネクタハウジングの両側部を前後方向にスライド移動自在に支持する左右一対のガイド側壁と、下部に重なる他のコネクタハウジングの前記一対のガイド側壁に挟まれる両外側面に突設された係止突起と、前記一対のガイド側壁に装備されてこれらの一対のガイド側壁間に挿入された他のコネクタハウジング上の前記係止突起に係合して上に重ね合わされた他のコネクタハウジングとの連結を果たす弾性係合片と、当該コネクタハウジングを他のコネクタハウジングの後方から他のコネクタハウジングに合体させたときに他のコネクタハウジングの端子収容室の後端側に位置するように、ハウジング後端に突設された端子押し込み片と、を備え、
前記端子押し込み片は、他のコネクタハウジングの後方から他のコネクタハウジングに合体させるスライド操作時に、他のコネクタハウジングに中途嵌合状態の接続端子の後端部を端子収容室に押し込んで、中途嵌合状態であった接続端子を前記端子係止ランスによって係止される完全嵌合位置に位置決めすることを特徴とする合体コネクタ。
【請求項２】
前記端子押し込み片は、前記上部外壁の上に重ねられる他のコネクタハウジングの端子収容室の後端側に位置するように、前記上部外壁の後端から上方に突出して設けられ、
前記上部外壁の前端を他のコネクタハウジングの下面の後端に重ねて、上下のコネクタハウジングの後端部位置が揃うように上下のコネクタハウジング相互をスライド移動させるときに、前記端子押し込み片が、上側に重なっている他のコネクタハウジングに中途嵌合状態の接続端子の後端部を端子収容室に押し込んで、中途嵌合状態であった接続端子を前記端子係止ランスによって係止される完全嵌合位置に位置決めすることを特徴とする請求項１に記載の合体コネクタ。
【発明の詳細な説明】
【技術分野】
【０００１】
本発明は、複数個の端子収容室が幅方向に一列に配置されたコネクタハウジング相互を上下に重ね合わせて連結・合体させた形態で使用する合体コネクタに関する。
【背景技術】
【０００２】
図９及び図１０は、２個のコネクタハウジング相互を上下に重ね合わせた状態に合体させて使用する合体コネクタの従来例を示したものである。
【０００３】
ここに示した合体コネクタ１０１は、下記特許文献１に開示されたもので、上部コネクタハウジング１１１と下部コネクタハウジング１２１とを上下に重ね合わせると、上部コネクタハウジング１１１の両側に設けられた係止突起１１２と下部コネクタハウジング１２１の両側に設けられた弾性係合片１２２との係合によりコネクタハウジング相互が連結・合体されるようになっている。
【０００４】
上下に重ねて連結する各コネクタハウジング１１１，１２１には、図１０に示すように、幅方向に一列に、複数個の端子収容室１１３，１２３が装備されている。
【０００５】
また、各コネクタハウジング１１１，１２１には、図１１に示すように、端子収容室１１３，１２３の底部に下方に弾性変位可能に装備されて端子収容室１１３，１２３に挿入完了した接続端子１３１を係止する端子係止ランス１１４，１２４と、相手側コネクタハウジングの端子係止ランスに係止されている接続端子１３１を当該接続端子１３１の挿入方向に移動不可に係止する二重係止手段１１５，１２５とが備えられている。
【０００６】
上部コネクタハウジング１１１に装備された二重係止手段１１５は、図１１に示したように、端子収容室１１３の底部を兼ねる下部外壁１１８から下方に突出して設けられている。この二重係止手段１１５は、下部コネクタハウジング１２１の端子収容室１２３の上部隔壁を兼ねる上部外壁１２６に形成した開口１２７から端子収容室１２３内に突出して、端子収容室１２３内の接続端子１３１の上部段差１３１ａに係合することにより、端子収容室１２３内の接続端子１３１の抜け方向の移動を規制して、端子係止ランス１２４との協働による二重係止状態を得る。
【０００７】
一方、下部コネクタハウジング１２１に装備された二重係止手段１２５は、図１１に示したように、下部コネクタハウジング１２１の上部外壁１２６から上方に突出して設けられている。この二重係止手段１２５は、上部コネクタハウジング１１１の端子収容室１１３の底部を兼ねる下部外壁１１８を除去した収容室開放部１１９から端子収容室１１３内に突出して、端子収容室１１３内の端子係止ランス１１４の下面に当接して端子係止ランス１１４の下方への弾性変位を規制することにより、端子収容室１１３内の接続端子１３１の抜け方向の移動を規制して、端子係止ランス１１４との協働による二重係止状態を得る。
【０００８】
図１２に示したように、上部コネクタハウジング１１１の端子収容室１１３に挿入された接続端子１３１が中途嵌合状態の時には、下部コネクタハウジング１２１に装備された二重係止手段１２５が、上部コネクタハウジング１１１の下方に弾性変位して下部コネクタハウジング１２１側に突出している端子係止ランス１１４の下面に干渉して、コネクタハウジング１１１と下部コネクタハウジング１２１との間にコネクタハウジング１１１，１２１相互の連結の障害となる隙間Ｓ１を形成して、コネクタハウジング１１１，１２１相互の連結を阻止することで、中途嵌合状態の発生を知らせる。
【０００９】
図１３に示したように、下部コネクタハウジング１２１の端子収容室１２３に挿入された接続端子１３１が中途嵌合状態の時には、上部コネクタハウジング１１１に装備された二重係止手段１１５が、端子収容室１２３内の接続端子１３１の嵌合部の上面１３１ａに干渉して、コネクタハウジング１１１と下部コネクタハウジング１２１との間にコネクタハウジング１１１，１２１相互の連結の障害となる隙間Ｓ２を形成して、コネクタハウジング１１１，１２１相互の連結を阻止することで、中途嵌合状態の発生を知らせる。
【先行技術文献】
【特許文献】
【００１０】
【特許文献１】特開２００７−９５３６０号公報
【発明の概要】
【発明が解決しようとする課題】
【００１１】
ところが、前述した合体コネクタ１０１の場合は、合体させるコネクタハウジング１１１，１２１相互の構造が相違しているため、それぞれ個別に成形用の金型を用意しなければならず、製造コストや管理コストが嵩むという問題があった。
【００１２】
また、前述した合体コネクタ１０１の場合は、例えば、上部コネクタハウジング１１１の二重係止手段１１５や、下部コネクタハウジング１２１の開口１２７などは、成形時の型抜き方向が、それぞれの端子収容室１１３，１２３の成形時の型抜き方向と異なるため、構造が複雑で高額化するスライドコア構造の金型を使わなければならず、成形金型の高額化が製造コストの高額化を招くという問題もあった。
【００１３】
また、前述した合体コネクタ１０１の場合は、コネクタハウジング１１１，１２１相互は、図１０に矢印Ａで示したように、上下方向に離間して対向させた状態から、上下に重なる状態にする上下方向の突き合わせ動作で連結・合体させるもので、狭い空間ではコネクタハウジング相互の合体作業が実施し難いという問題もあった。
【００１４】
更に、前述した合体コネクタ１０１の場合は、各コネクタハウジングの幅寸法が大きくなると、各コネクタハウジングの両側部は上下方向に撓み変形し易くなり、中途嵌合状態が発生していても、コネクタハウジングの両端部の撓み変形によってコネクタハウジング相互の連結が可能になって、中途嵌合状態の発生を見逃すおそれがあった。
【００１５】
そこで、本発明の目的は上記課題を解消することに係り、狭い空間でもコネクタハウジング相互の合体作業が実施し易く、また、構造が複雑で高額化するスライドコア構造の金型を使わずに各コネクタハウジングの成形が可能で、しかも、合体させるコネクタハウジング相互の構造を同一構造にして製造コストや管理コストを低減することができ、中途嵌合状態の発生の見逃しが生じることもない合体コネクタを提供することにある。
【課題を解決するための手段】
【００１６】
本発明の前述した目的は、下記の構成により達成される。
（１）上下に重ね合わせて合体させる各コネクタハウジングが、幅方向に一列に配置された複数個の端子収容室と、前記端子収容室に挿入完了した接続端子を前記端子収容室の隔壁に前記端子収容室から退避する方向に弾性変位可能に装備された端子係止部によって係止する端子係止ランスと、前記端子収容室の天井部である上部外壁の両側から上方に延出して設けられて前記上部外壁の上に重なる他のコネクタハウジングの両側部を前後方向にスライド移動自在に支持する左右一対のガイド側壁と、下部に重なる他のコネクタハウジングの前記一対のガイド側壁に挟まれる両外側面に突設された係止突起と、前記一対のガイド側壁に装備されてこれらの一対のガイド側壁間に挿入された他のコネクタハウジング上の前記係止突起に係合して上に重ね合わされた他のコネクタハウジングとの連結を果たす弾性係合片と、当該コネクタハウジングを他のコネクタハウジングの後方から他のコネクタハウジングに合体させたときに他のコネクタハウジングの端子収容室の後端側に位置するように、ハウジング後端に突設された端子押し込み片と、を備え、
前記端子押し込み片は、他のコネクタハウジングの後方から他のコネクタハウジングに合体させるスライド操作時に、他のコネクタハウジングに中途嵌合状態の接続端子の後端部を端子収容室に押し込んで、中途嵌合状態であった接続端子を前記端子係止ランスによって係止される完全嵌合位置に位置決めすることを特徴とする合体コネクタ。
【００１７】
（２）前記端子押し込み片は、前記上部外壁の上に重ねられる他のコネクタハウジングの端子収容室の後端側に位置するように、前記上部外壁の後端から上方に突出して設けられ、
前記上部外壁の前端を他のコネクタハウジングの下面の後端に重ねて、上下のコネクタハウジングの後端部位置が揃うように上下のコネクタハウジング相互をスライド移動させるときに、前記端子押し込み片が、上側に重なっている他のコネクタハウジングに中途嵌合状態の接続端子の後端部を端子収容室に押し込んで、中途嵌合状態であった接続端子を前記端子係止ランスによって係止される完全嵌合位置に位置決めすることを特徴とする上記（１）に記載の合体コネクタ。
【００１８】
上記（１）の構成によれば、上下に重ねた状態に合体させるコネクタハウジング相互は、互いに逆側の端部を重ねたコネクタハウジング相互を両コネクタハウジングの前後端が揃うようにスライド操作することで、上下に重なるコネクタハウジング相互の連結・合体が実現されるため、上下方向に離間した状態に対峙させたコネクタハウジングを上下方向に突き合わせて連結・合体させる従来の合体コネクタと比較すると、狭い空間でもコネクタハウジング相互の合体作業が実施し易い。
【００１９】
また、コネクタハウジング相互を重ねた状態に合体させたときに、一方のコネクタハウジングに装備されている端子押し込み片が他方のコネクタハウジングの端子収容室の後端側に位置して、他方のコネクタハウジングに中途嵌合状態であった接続端子を完全嵌合位置に押し込んで位置決めする。そのため、中途嵌合状態の接続端子を残してコネクタハウジング相互が合体されてしまうことがなく、中途嵌合状態の接続端子の見落としを防止することができる。
【００２０】
また、端子押し込み片は、他方のコネクタハウジングに装着されている接続端子を、そのコネクタハウジング内の端子係止ランスによって係止される完全嵌合位置に位置決めするため、接続端子と端子係止ランスとの係合の解除を防止する二重係止手段と同様の機能を発揮する。そして、端子押し込み片は、外部に露出するようにコネクタハウジングの後端に突設された構造で、相手コネクタハウジングに成形が難しいスリットや切り欠きを形成する必要がない。
【００２１】
そのため、端子押し込み片の装備によって、コネクタハウジング成形時の型抜きが難しくなることがない。言い換えれば、構造が複雑で高額化するスライドコア構造の金型を使わずともコネクタハウジングの成形が可能で、金型の低コスト化により製造コストの低減を図ることもできる。
【００２２】
更に、上記（１）の構成によれば、接続端子の二重係止用として、ハウジング外壁上にスリットや切り欠きを装備する必要がない。そのため、ハウジング外壁上に装備されるスリットや切り欠きによってハウジングの強度が低下することを防止することができ、強度の高い合体コネクタを提供することができる。
【００２３】
更に、合体させるコネクタハウジング相互の構造が同一構造になるため、成形用の金型が一種類のコネクタハウジングに対するものだけで済み、用意する金型の種類の低減により製造コストや管理コストを低減することができる。
【００２４】
また、コネクタハウジングの幅寸法が大きくなって、コネクタハウジング自体の両端部に撓みが生じ易くなっていたとしても、上記構成の合体コネクタでは、コネクタハウジング相互の連結操作がスライド操作であり、連結操作時にコネクタハウジングの両端部に撓みが生じ難く、且つ、コネクタハウジングの両端部の上下方向の撓みでコネクタハウジング相互が誤って連結合体することもない。しかも、端子押し込み片が中途嵌合状態の接続端子を押し込んで、完全嵌合位置に修正するため、接続端子の中途嵌合状態が発生しているときにコネクタハウジング相互が誤って連結することがなく、中途嵌合状態の発生を見逃すという不都合も生じない。
【００２５】
上記（２）の構成によれば、端子押し込み片は、ガイド側壁が上方に突設される上部外壁に装備されており、端子収容室の底部である下部外壁の外面は突出部のないすっきりとしたコンパクトな形状とすることができ、保管時や輸送時にコネクタハウジングの梱包を容易にすることができる。
【発明の効果】
【００２６】
本発明による合体コネクタによれば、コネクタハウジング相互の連結・合体は、互いに逆側の端部を重ねたコネクタハウジング相互を両コネクタハウジングの前後端が揃うようにスライド操作することで達成するため、狭い空間でもコネクタハウジング相互の合体作業が実施し易い。
【００２７】
また、コネクタハウジング相互の合体操作時には、一方のコネクタハウジングに装備されている端子押し込み片が他方のコネクタハウジングの端子収容室に中途嵌合状態となっている接続端子を完全嵌合位置に押し込む。そのため、中途嵌合状態の接続端子を残してコネクタハウジング相互が合体されてしまうことがなく、中途嵌合状態の接続端子の見落としを防止することができる。
【００２８】
また、端子押し込み片は、他方のコネクタハウジングに装着されている接続端子を端子係止ランスによって係止される完全嵌合位置に位置決めするため、接続端子と端子係止ランスとの係合の解除を防止する二重係止手段と同様の機能を発揮する。
【００２９】
そして、端子押し込み片は、外部に露出するようにコネクタハウジングの後端に突設された構造で、相手コネクタハウジングに嵌合部を形成する必要もない。
【００３０】
そのため、構造が複雑で高額化するスライドコア構造の金型を使わずともコネクタハウジングの成形が可能で、金型の低コスト化により製造コストの低減を図ることもできる。
【００３１】
また、端子押し込み片が所謂二重係止手段と同様の機能を発揮するため、接続端子の二重係止用として、ハウジング外壁上にスリットや切り欠きを装備する必要がない。そのため、ハウジング外壁上に装備されるスリットや切り欠きによってハウジングの強度が低下することを防止することができ、強度の高い合体コネクタを提供することができる。
【００３２】
更に、合体させるコネクタハウジング相互の構造が同一構造になるため、成形用の金型が一種類のコネクタハウジングに対するものだけで済み、用意する金型の種類の低減により製造コストや管理コストを低減することができる。
【００３３】
また、コネクタハウジングの幅寸法が大きくなって、コネクタハウジング自体の両端部に撓みが生じ易くなっていたとしても、本発明の合体コネクタでは、コネクタハウジング相互の連結操作がスライド操作であり、連結操作時にコネクタハウジングの両端部に撓みが生じ難く、且つ、コネクタハウジングの両端部の上下方向の撓みでコネクタハウジング相互が誤って連結合体することもない。しかも、端子押し込み片が中途嵌合状態の接続端子を押し込んで、完全嵌合位置に修正するため、接続端子の中途嵌合状態が発生しているときにコネクタハウジング相互が誤って連結することがなく、中途嵌合状態の発生を見逃すという不都合も生じない。
【図面の簡単な説明】
【００３４】
【図１】本発明に係る合体コネクタの一実施形態の接続端子装着前の状態を示す斜視図である。
【図２】図１に示した合体コネクタの接続端子装着後の状態を示す斜視図である。
【図３】接続端子の装着を終えた２つの合体コネクタ同士を合体させる前の状態を示す後方斜め上方からの斜視図である。
【図４】接続端子の装着を終えた２つの合体コネクタ同士を合体させる前の状態を示す前方斜め上方からの斜視図である。
【図５】図３のＢ矢視図である。
【図６】図５のＥ−Ｅ断面図である。
【図７】図６に示した状態から下側の合体コネクタを矢印Ｃ方向にスライドさせて、合体コネクタ相互の嵌合が進んだ状態の縦断面図である。
【図８】上下に重なる合体コネクタ相互が合体完了した状態の縦断面図である。
【図９】従来の合体コネクタの連結・合体状態の斜視図である。
【図１０】図９に示した合体コネクタの分解斜視図である。
【図１１】図９に示した合体コネクタの正常な連結・合体状態を示す縦断面図である。
【図１２】図９に示した合体コネクタにおいて上部のコネクタハウジング内の接続端子が中途嵌合状態の時に、下部のコネクタハウジングの二重係止手段が上部のコネクタハウジング内の端子係止ランスの下面に干渉して、コネクタハウジング相互の連結の障害となっている状態を示す縦断面図である。
【図１３】図９に示した合体コネクタにおいて下部のコネクタハウジング内の接続端子が中途嵌合状態の時に、上部のコネクタハウジングの二重係止手段が下部のコネクタハウジング内の接続端子の上面に干渉して、コネクタハウジング相互の連結の障害となっている状態を示す縦断面図である。
【発明を実施するための形態】
【００３５】
以下、本発明に係る合体コネクタの好適な実施形態について、図面を参照して詳細に説明する。
【００３６】
図１〜図８は、本発明に係る合体コネクタの一実施形態を示している。
この一実施形態の合体コネクタ１は、複数のコネクタハウジングを上下に重ね合わせた形態に連結合体させる。図では、２つのコネクタハウジング２００，３００を連結合体させる場合を示している。
【００３７】
コネクタハウジング２００，３００は、同一構造のもので、便宜上、各構成部位に付与する番号を相異させているが、同じ機能の部位は、百の位の番号を除いた番号が一致するようにしている。
【００３８】
コネクタハウジング２００，３００は、幅方向に一列に配置された複数個の端子収容室２０１，３０１と、端子収容室２０１，３０１に臨むように上部外壁２２１，３２１に形成された端子係止ランス２１０，３１０と、上部外壁２２１，３２１の両側から上方に延出して設けられた左右一対のガイド側壁２２５，３２５とを備えている。
【００３９】
端子収容室２０１，３０１は、各ハウジングの前後方向に貫通形成されていて、各ハウジングの後端側から雌型の接続端子１３１の挿入が行われる。
【００４０】
上部外壁２２１，３２１は、端子収容室２０１，３０１の天井側を外部から区画する隔壁である。
【００４１】
端子係止ランス２１０，３１０は、図８に示すように、端子収容室２０１，３０１内に突出する端子係止部２１１，３１１と、この端子係止部２１１，３１１を上方に弾性変位可能に支持する弾性片２１２，３１２とを備えている。
端子係止ランス２１０，３１０は、図８に示すように、端子収容室２０１，３０１内に完全嵌合（挿入完了）された接続端子１３１に対して端子係止部２１１，３１１を係合させて、接続端子１３１の抜けを防止する。
【００４２】
左右一対のガイド側壁２２５，３２５は、上部外壁２２１，３２１の上に重なる他のコネクタハウジングの両側部２２３，３２３（図２参照）を、前後方向にスライド移動自在に支持する。
【００４３】
更に、各コネクタハウジング２００，３００は、下部に重なる他のコネクタハウジングの一対のガイド側壁２２５，３２５に挟まれる両側部２２３，３２３に突設された係止突起２２９，３２９と、一対のガイド側壁２２５，３２５に装備されてこれらの一対のガイド側壁２２５，３２５間に挿入された他のコネクタハウジング上の係止突起２２９，３２９に係合して上に重ね合わされた他のコネクタハウジングとの連結を果たす弾性係合片２３１，３３１と、を備えている。
【００４４】
更に、各コネクタハウジング２００，３００は、図７に示すように、各端子収容室２０１，３０１の前端側に金属板製のバスバー２４１，３４１がインサート成形により一体装備されている。
【００４５】
各バスバー２４１，３４１は、雌型の接続端子１３１が嵌合するタブ端子を端子収容室２０１，３０１の配列に対応して連設したもので、１つのコネクタハウジング内に挿入された複数の接続端子１３１相互を分岐接続する。
【００４６】
即ち、本実施形態の合体コネクタ１を構成する各コネクタハウジング２００，３００は、複数の接続端子１３１を分岐接続するジョイントコネクタである。
【００４７】
本実施形態の合体コネクタ１の場合、各コネクタハウジング２００，３００は、ハウジング後端に、端子押し込み片２３４，３３４が突設されている。また、本実施形態の合体コネクタ１の場合、端子押し込み片２３４，３３４は、上部外壁２２１，３２１の上に重ねられる他のコネクタハウジングの端子収容室の後端側に位置するように、前記上部外壁２２１，３２１の後端から上方に突出して設けられている。
【００４８】
これらの端子押し込み片２３４，３３４は、雌型の接続端子１３１に接続されている電線１３２が挿通可能なＵ字状の溝２３５，３３５を有している。溝２３５，３３５は、電線１３２は挿通できるが、電線１３２の外被に圧着されている雌型の接続端子１３１の後端圧着部１３１ａは挿通できない（引っかかる）ように寸法設定されている。
【００４９】
次に、本実施形態のコネクタハウジング２００，３００を合体させるときの動作を説明する。
【００５０】
まず、図１に示した各コネクタハウジング２００，３００の端子収容室２０１，３０１に、電線１３２に圧着された雌型の接続端子１３１を装着する。すると、図２に示したように、後方から見て、上側に位置するコネクタハウジング３００の一番右端に位置する端子収容室３０１に挿入された雌型の接続端子１３１は、中途嵌合状態になっているとする。
【００５１】
この状態で、図３〜図６に示すように、下側のコネクタハウジング２００の上部外壁２２１の前端が、上側のコネクタハウジング３００の下面の後端に重なるように、コネクタハウジング２００，３００相互を位置合わせする。
【００５２】
この場合の位置合わせは、下側のコネクタハウジング２００の左右のガイド側壁２２５に、上側のコネクタハウジング３００の左右の両側部３２３，３２３が嵌合するように、幅方向の位置合わせを行うことも含む。
【００５３】
次に、位置合わせしたコネクタハウジング２００，３００相互を合体させる。図３，図４及び図６に示した矢印Ｃは、２つのコネクタハウジング２００，３００を合体させるときの、下側のコネクタハウジング２００の移動方向（スライド方向）を示している。
【００５４】
下側のコネクタハウジング２００を上側のコネクタハウジング３００の下面に沿ってスライドさせて、端子押し込み片２３４が上側のコネクタハウジング３００の端子収容室３０１の後端に接近すると、図７に示すように、端子押し込み片２３４が後端圧着部１３１ａの後端面１３１ｂに当接する。
【００５５】
端子押し込み片２３４が後端圧着部１３１ａに当接している状態で、上下のコネクタハウジング２００，３００の後端部位置が揃うまで、下側のコネクタハウジング２００を更に図７の矢印Ｄ方向にスライド移動させると、下側のコネクタハウジング２００の弾性係合片２３１と上側のコネクタハウジング３００の係止突起３２９とが係合して、コネクタハウジング２００とコネクタハウジング３００との合体が完了する。
【００５６】
コネクタハウジング２００とコネクタハウジング３００との合体が完了するまでのハウジング相互のスライド操作では、中途嵌合状態の接続端子１３１の後端に当接している下側のコネクタハウジング２００の端子押し込み片２３４が、中途嵌合状態の接続端子１３１を端子収容室３０１に押し込む。
【００５７】
そして、コネクタハウジング２００，３００の合体が完了するときには、図８に示したように、中途嵌合状態であった接続端子１３１をコネクタハウジング３００内の端子係止ランス３１０によって係止される完全嵌合位置に位置決めする。
【００５８】
以上に説明した一実施形態の合体コネクタ１では、上下に重ねた状態に合体させるコネクタハウジング２００，３００相互は、図６〜図８に示したように、互いに逆側の端部を重ねたコネクタハウジング２００，３００相互を両コネクタハウジングの前後端が揃うようにスライド操作することで、上下に重なるコネクタハウジング２００，３００相互の連結・合体が実現されるため、上下方向に離間した状態に対峙させたコネクタハウジングを上下方向に突き合わせて連結・合体させる従来の合体コネクタと比較すると、狭い空間でもコネクタハウジング相互の合体作業が実施し易い。
【００５９】
また、コネクタハウジング２００，３００相互を重ねた状態に合体させたときには、図８に示したように、一方のコネクタハウジング２００に装備されている端子押し込み片２３４が他方のコネクタハウジング３００の端子収容室３０１の後端側に位置して、他方のコネクタハウジング３００に中途嵌合状態であった接続端子１３１を完全嵌合位置に押し込んで位置決めする。そのため、中途嵌合状態の接続端子を残してコネクタハウジング２００，３００相互が合体されてしまうことがなく、中途嵌合状態の接続端子の見落としを防止することができる。
【００６０】
また、以上に説明した一実施形態の合体コネクタ１の場合、下側のコネクタハウジング２００における端子押し込み片２３４は、上側のコネクタハウジング３００に装着されている接続端子１３１を、そのコネクタハウジング３００内の端子係止ランス３１０によって係止される完全嵌合位置に位置決めするため、接続端子１３１と端子係止ランス３１０との係合の解除を防止する二重係止手段と同様の機能を発揮する。そして、端子押し込み片２３４，３３４は、外部に露出するようにコネクタハウジング２００，３００の後端に突設された構造で、相手コネクタハウジングに成形が難しいスリットや切り欠きを形成する必要がない。
【００６１】
そのため、端子押し込み片２３４，３３４の装備によって、コネクタハウジング２００，３００の成形時の型抜きが難しくなることがない。言い換えれば、構造が複雑で高額化するスライドコア構造の金型を使わずともコネクタハウジングの成形が可能で、金型の低コスト化により製造コストの低減を図ることもできる。
【００６２】
更に、以上に説明した一実施形態の合体コネクタ１の構成によれば、接続端子１３１の二重係止用として、コネクタハウジング２００，３００の外壁上にスリットや切り欠きを装備する必要がない。そのため、ハウジング外壁上に装備されるスリットや切り欠きによってハウジングの強度が低下することを防止することができ、強度の高い合体コネクタを提供することができる。
【００６３】
更に、合体させるコネクタハウジング２００，３００相互の構造が同一構造になるため、成形用の金型が一種類のコネクタハウジングに対するものだけで済み、用意する金型の種類の低減により製造コストや管理コストを低減することができる。
【００６４】
また、コネクタハウジング２００，３００の幅寸法が大きくなって、コネクタハウジング２００，３００自体の両端部に撓みが生じ易くなっていたとしても、上記構成の合体コネクタ１では、コネクタハウジング２００，３００相互の連結操作がスライド操作であり、連結操作時にコネクタハウジング２００，３００の両端部に撓みが生じ難く、且つ、コネクタハウジング２００，３００の両端部の上下方向の撓みでコネクタハウジング相互が誤って連結合体することもない。しかも、端子押し込み片２３４，３３４が中途嵌合状態の接続端子を押し込んで、完全嵌合位置に修正するため、接続端子１３１の中途嵌合状態が発生しているときにコネクタハウジング２００，３００相互が誤って連結することがなく、中途嵌合状態の発生を見逃すという不都合も生じない。
【００６５】
また、以上に説明した一実施形態の合体コネクタ１では、端子押し込み片２３４，３３４は、ガイド側壁２２５，３２５が上方に突設される上部外壁２２１，３２１に装備されており、図６に示したように、端子収容室２０１，３０１の底部である下部外壁２０３，３０３の外面は突出部のないすっきりとしたコンパクトな形状とすることができる。従って、保管時や輸送時にコネクタハウジング２００，３００の梱包を容易にすることができる。
【００６６】
なお、上記実施形態では、端子押し込み片２３４，３３４は、各コネクタハウジング２００，３００の上部外壁２２１，３２１の後端に上方に向けて突設した。
【００６７】
しかし、端子押し込み片２３４，３３４は、各コネクタハウジング２００，３００の下部外壁２０３，３０３の後端に下方に向けて突出する構成とし、上側のコネクタハウジング３００に装備された端子押し込み片３３４で下側のコネクタハウジング２００に中途嵌合の接続端子１３１を完全嵌合させるようにしても良い。
【００６８】
また、本発明の合体コネクタで使用するコネクタハウジング２００，３００は、同一構造のため、どちらを上に重ねることもでき、また、３つ以上のコネクタハウジングを上下に重ね合わせた形態に合体させて、より多芯のジョイントコネクタを構成することもできる。
【００６９】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００７０】
１  合体コネクタ
１３１  接続端子
１３１ａ  後端圧着部
１３１ｂ  後端面
２００，３００  コネクタハウジング
２０１，３０１  端子収容室
２１０，３１０  端子係止ランス
２１１，３１１  端子係止部
２２１，３２１  上部外壁
２２５，３２５  ガイド側壁
２３１，３３１  弾性係合片
２３４，３３４  端子押し込み片
２３５，３３５  溝
２４１，３４１  バスバー
【図１】
2011076889.tif 000003
【図２】
2011076889.tif 000004
【図３】
2011076889.tif 000005
【図４】
2011076889.tif 000006
【図５】
2011076889.tif 000007
【図６】
2011076889.tif 000008
【図７】
2011076889.tif 000009
【図８】
2011076889.tif 000010
【図９】
2011076889.tif 000011
【図１０】
2011076889.tif 000012
【図１１】
2011076889.tif 000013
【図１２】
2011076889.tif 000014
【図１３】
2011076889.tif 000015